(57)【要約】【課題】外気を室内に取り入れる給気口に取り付けた放熱器に風呂の残り湯を循環させて行う暖房動作を、給気口近くの室内に居る人においても快適となるように、長時間継続することのできる浴湯熱暖房システムを提供する。【解決手段】浴槽水の残熱を利用した暖房運転中は、循環ポンプ６５を連続動作させ、単位時間当たりの放熱ユニット１０からの放熱量は、循環ポンプの流量で制御する。たとえば、浴槽水の温度が高いほど、又は浴槽水の温度と外気温の差が大きいほど、循環ポンプの流量を少なく制御する。また、浴槽水の保有する熱量で暖房を所定時間継続する場合に第１流量で循環ポンプを連動動作させると熱量が不足する場合は第１流量より少ない第２流量で循環ポンプを低流量連動動作させる。【選択図】図４
2018124041.tif 000002
【特許請求の範囲】
【請求項１】
壁を貫通して屋外と屋内を接続する給気口に取り付けられる放熱器と、
浴槽から前記放熱器を経由して前記浴槽に戻る浴湯熱暖房経路と、
前記浴槽内の浴槽水を前記浴湯熱暖房経路に循環させる循環ポンプと、
制御部と
を有し、
前記制御部は、浴槽水の残熱を利用した暖房運転中は前記循環ポンプを連続動作させ、単位時間当たりの放熱量は、前記循環ポンプの流量で制御する
ことを特徴とする浴湯熱暖房システム。
【請求項２】
前記制御部は、前記浴槽水の温度が高いほど、前記循環ポンプの流量を少なくする
ことを特徴とする請求項１に記載の浴湯熱暖房システム。
【請求項３】
前記制御部は、前記浴槽水の温度と外気温の差が大きいほど、前記循環ポンプの流量を少なくする
ことを特徴とする請求項１に記載の浴湯熱暖房システム。
【請求項４】
前記制御部は、前記浴槽水の保有する熱量で所定時間の暖房を継続する場合に、第１流量で前記循環ポンプを連動動作させると浴槽水の保有する熱量が不足する場合は、前記第１流量より少ない第２流量で前記循環ポンプを連動動作させる
ことを特徴とする請求項１に記載の浴湯熱暖房システム。
【請求項５】
前記制御部は、前記循環ポンプの送出流量を一時的に高めて浴槽内の浴槽水を撹拌する撹拌工程を暖房運転途中で１または複数回実行する
ことを特徴とする請求項１乃至４のいずれか１つに記載の浴湯熱暖房システム。
【請求項６】
前記浴湯熱暖房経路を、前記放熱器を経由する第１経路とするか、前記放熱器をバイパスした第２経路とするかを切り換える経路変更部を有し、
前記制御部は、前記撹拌工程中は、前記浴湯熱暖房経路を前記第２経路に切り替える
ことを特徴とする請求項５に記載の浴湯熱暖房システム。
【請求項７】
前記制御部は、次回の撹拌工程の実行前に、次回の撹拌工程を実行後の浴槽水の平均温度を推定し、該平均温度が予め定めた暖房運転の停止温度以下の場合は、次回の撹拌工程を行わずに暖房運転を継続する
ことを特徴とする請求項５または６に記載の浴湯熱暖房システム。
【請求項８】
前記制御部は、設定された終了時刻まで暖房運転を継続できるように、前記循環ポンプの送出流量を調整する
ことを特徴とする請求項１乃至４のいずれか１つに記載の浴湯熱暖房システム。
【請求項９】
風呂の追い焚き機能を備えた風呂給湯器と、
前記風呂給湯器の風呂の追い焚き経路を、前記放熱器を経由する前記浴湯熱暖房経路と前記放熱器をバイパスする経路に切り換える切り替え弁を有し、
前記循環ポンプは、前記風呂給湯器が備える追い焚き用の循環ポンプであり、
前記制御部は、前記浴槽水の残熱を利用した暖房運転を行う場合に、前記追い焚き経路を前記浴湯熱暖房経路に切り替えて前記循環ポンプを駆動する
ことを特徴とする請求項１乃至８のいずれか１つに記載の浴湯熱暖房システム。
【請求項１０】
前記放熱器は、温水を通す扁平管を、放熱板として、所定間隔をあけて複数併設して構成される
ことを特徴とする請求項１乃至９のいずれか１つに記載の浴湯熱暖房システム。
【発明の詳細な説明】
【技術分野】
【０００１】
本発明は、浴槽の残り湯を利用して暖房する浴湯熱暖房システムに関する。
【背景技術】
【０００２】
近年の住宅には２４時間換気システムが設置されている。その代表的な構成は、図１４に示すように、たとえば、風呂場の天井裏等に換気ファン１０１を設け、この換気ファン１０１の吸込口１０２をトイレや洗面所、浴室などの天井（家の中心付近）に配置し、屋外に面する各居室の壁に給気口１０３を設け、換気ファン１０１の排気はダクトを通じて玄関先等に設けた排気口１０４から屋外に排出する、といった構成になっている。これは、排気はファンで行い、給気はファンを使用せずに自然に取込む方式（排気型）であり、一般の住宅で多く採用されている。
【０００３】
冬場は給気口から冷たい外気が室内に入って来る。図１４の住宅では、リビングなど人が長く居る部屋は暖房されて暖かい。その暖かい空気は、住宅の中心の吸込口に向かってゆっくりと流れ、吸込口から吸い込まれて屋外に排出される。一方、洋室（１）、洋室（２）などは、寝室などに利用された場合、暖房費節約等の観点から、暖房されない場合が多い。また、リビングから暖かい空気も流れ込まないため、室温が低い。明け方になるとトイレなども冷えてしまう。そのため、たとえば、入浴後にそれらの部屋に入ったり、明け方に布団から出てトイレに行ったりすると、ヒートショックを受ける恐れがある。
【０００４】
光熱費を抑えて、ヒートショックが防止される程度に暖房する方法として、風呂の残り湯が持つ熱量を利用する方法がある。たとえば、特許文献１には、浴槽内の湯を、ファンからの送風を受ける熱交換器に循環させる暖房システムが開示される。
【０００５】
しかし、この暖房システムでは、室温と浴槽内の残り湯との温度差が少ないため、放熱効率が低く、要求される熱量を得るには大型の熱交換器が必要であった。
【０００６】
暖房効率を高める技術として、下記特許文献２に、近接対向配置された２枚のパネル状の放熱器に温水を流し、その２枚のパネルの間に屋外からの空気を通して室内に導入する空調装置が開示される。
【０００７】
また、下記特許文献３には、お湯を出湯する給湯機能、風呂に湯張りする注湯機能、風呂を追い焚きしたりする追い焚き機能などに加えて、暖房用放熱器や浴室乾燥機などに高温の湯（たとえば８０℃）を循環させる高温暖房機能、床暖房用の温水マットに低温の湯（たとえば、６０℃）の湯を循環させる低温暖房機能を備えた風呂暖房給湯器において、風呂の残り湯の熱を、翌日の明け方までの夜間に、床暖房用の温水マットを循環する循環水に与えて、緩やかに長時間暖房する技術が開示されている。この風呂暖房給湯器では、水―水熱交換器を利用して風呂の残り湯と温水マットを循環する液体との間の熱交換を行うと共に、循環ポンプをオンオフさせて、該熱交換を、夜間に、断続的に複数回行うようにし、風呂の残り湯による緩やかな暖房を明け方まで維持するように制御する。
【先行技術文献】
【特許文献】
【０００８】
【特許文献１】特開２０００−２８３５５８号公報
【特許文献２】特開２００９−９２３１０号公報
【特許文献３】特開２０１１−０８５２９６号公報
【発明の概要】
【発明が解決しようとする課題】
【０００９】
特許文献２、３に開示の技術を応用して、２４時間換気システムの給気口に、風呂の残り湯を循環させる放熱器を取り付け、屋外からの冷たい空気を暖めてから室内に導入する暖房システムが考えられる。
【００１０】
しかし、この暖房システムにおいて、明け方まで長時間にわたって暖房を維持するために、特許文献３に開示されているように循環ポンプをオンオフさせて残り湯の循環を断続的に行うと、給気口から室内に流入する空気の温度が循環ポンプのオンオフに直結して変化するため、給気口近くの室内に居る人に不快感を与えてしまう。すなわち、特許文献３のように熱容量の大きい床暖房の場合は、蓄熱されるため、循環ポンプのオンオフにより断続的に暖房を行っても使用者に不快感を与えることはない。しかし、給気口に放熱器を取り付ける暖房方法では、蓄熱部分がないため、循環ポンプをオンオフさせて断続的に暖房すると、循環ポンプのオンオフが給気口から流入する空気の温度の変化に直結してしまい、給気口近くの室内に居る人に不快感を与えてしまう。
【００１１】
本発明は、上記の問題を解決しようとするものであり、外気を室内に取り入れる給気口に取り付けた放熱器に風呂の残り湯を循環させて行う暖房動作を、給気口近くの室内に居る人においても快適となるように、長時間継続することのできる浴湯熱暖房システムを提供することを目的としている。
【課題を解決するための手段】
【００１２】
かかる目的を達成するための本発明の要旨とするところは、次の各項の発明に存する。
【００１３】
［１］壁を貫通して屋外と屋内を接続する給気口に取り付けられる放熱器と、
浴槽から前記放熱器を経由して前記浴槽に戻る浴湯熱暖房経路と、
前記浴槽内の浴槽水を前記浴湯熱暖房経路に循環させる循環ポンプと、
制御部と
を有し、
前記制御部は、浴槽水の残熱を利用した暖房運転中は前記循環ポンプを連続動作させ、単位時間当たりの放熱量は、前記循環ポンプの流量で制御する
ことを特徴とする浴湯熱暖房システム。
【００１４】
上記発明では、循環ポンプは断続運転せずに連続的に動作させ、放熱器からの単位時間当たりの放熱量は、循環ポンプの流量を増減させて制御する。すなわち、長時間の暖房を、循環ポンプを低流量で連続稼動させて行う。
【００１５】
［２］前記制御部は、前記浴槽水の温度が高いほど、前記循環ポンプの流量を少なくする
ことを特徴とする［１］に記載の浴湯熱暖房システム。
【００１６】
［３］前記制御部は、前記浴槽水の温度と外気温の差が大きいほど、前記循環ポンプの流量を少なくする
ことを特徴とする［１］に記載の浴湯熱暖房システム。
【００１７】
［４］前記制御部は、前記浴槽水の保有する熱量で所定時間の暖房を継続する場合に、第１流量で前記循環ポンプを連動動作させると浴槽水の保有する熱量が不足する場合は、前記第１流量より少ない第２流量で前記循環ポンプを連動動作させる
ことを特徴とする［１］に記載の浴湯熱暖房システム。
【００１８】
上記発明では、暖房運転を所定時間継続できるように流量が制御される。
【００１９】
［５］前記制御部は、前記循環ポンプの送出流量を一時的に高めて浴槽内の浴槽水を撹拌する撹拌工程を暖房運転途中で１または複数回実行する
ことを特徴とする［１］乃至［４］のいずれか１つに記載の浴湯熱暖房システム。
【００２０】
上記発明では、放熱器を経由して浴槽に戻ってきた冷たい湯は浴槽の下に溜まって温度成層を形成するので、浴槽水取込口の高さまで冷たい水の層が来ると、それより上の暖かい湯を暖房に利用できなくなる。そこで、撹拌工程を行って浴槽内の浴槽水の温度を均一化する。
【００２１】
［６］前記浴湯熱暖房経路を、前記放熱器を経由する第１経路とするか、前記放熱器をバイパスした第２経路とするかを切り換える経路変更部を有し、
前記制御部は、前記撹拌工程中は、前記浴湯熱暖房経路を前記第２経路に切り替える
ことを特徴とする［５］に記載の浴湯熱暖房システム。
【００２２】
上記発明では、撹拌工程では、放熱器をバイパスした経路として、循環効率を高める。
【００２３】
［７］前記制御部は、次回の撹拌工程の実行前に、次回の撹拌工程を実行後の浴槽水の平均温度を推定し、該平均温度が予め定めた暖房運転の停止温度以下の場合は、次回の撹拌工程を行わずに暖房運転を継続する
ことを特徴とする［５］または［６］に記載の浴湯熱暖房システム。
【００２４】
上記発明では、撹拌して平均化した風呂温度が暖房運転の停止温度以下の場合は、撹拌せずに、冷たい水の層から浴槽水取込口までの間にある暖かい湯を暖房に利用する。
【００２５】
［８］前記制御部は、設定された終了時刻まで暖房運転を継続できるように、前記循環ポンプの送出流量を調整する
ことを特徴とする［１］乃至［４］のいずれか１つに記載の浴湯熱暖房システム。
【００２６】
［９］風呂の追い焚き機能を備えた風呂給湯器と、
前記風呂給湯器の風呂の追い焚き経路を、前記放熱器を経由する前記浴湯熱暖房経路と前記放熱器をバイパスする経路に切り換える切り替え弁を有し、
前記循環ポンプは、前記風呂給湯器が備える追い焚き用の循環ポンプであり、
前記制御部は、前記浴槽水の残熱を利用した暖房運転を行う場合に、前記追い焚き経路を前記浴湯熱暖房経路に切り替えて前記循環ポンプを駆動する
ことを特徴とする［１］乃至［８］のいずれか１つに記載の浴湯熱暖房システム。
【００２７】
［１０］前記放熱器は、温水を通す扁平管を、放熱板として、所定間隔をあけて複数併設して構成される
ことを特徴とする［１］乃至［９］のいずれか１つに記載の浴湯熱暖房システム。
【００２８】
上記発明では、少ない体積で良好な熱交換が可能になる。
【発明の効果】
【００２９】
本発明に係る浴湯熱暖房システムによれば、外気を室内に取り入れる給気口に取り付けた放熱器に風呂の残り湯を循環させて行う暖房動作を、給気口近くの室内に居る人においても快適となるようにして、長時間継続することができる。
【図面の簡単な説明】
【００３０】
【図１】給気口に放熱器を取り付けた状態を示す説明図である。
【図２】放熱器とその周囲の給気ダクトを示す斜視図である。
【図３】マイクロ扁平管熱交換器の概略構成を示す断面および２枚のマイクロ扁平管を取り出して示す図ある。
【図４】本実施の形態に係る浴湯熱暖房システムおよびこれに使用される風呂給湯器を示す概略構成図である。
【図５】風呂温度に基づく浴湯熱暖房制御を示す流れ図である。
【図６】暖房動作によって浴槽内に温度成層が形成された状態および撹拌工程によって温度成層が解消された状態等を示す図である。
【図７】浴湯熱暖房運転中の動作状態と浴槽から取り込まれる風呂温度の関係を示す図である。
【図８】風呂温度と外気温度との温度差に基づく浴湯熱暖房制御を示す流れ図である。
【図９】設定時間に基づく浴湯熱暖房制御を示す流れ図である。
【図１０】図９の続きを示す流れ図である。
【図１１】フィンとチューブを用いた放熱器の例を示す斜視図である。
【図１２】フィンとチューブを用いた放熱器の他の例を示す斜視図である。
【図１３】浴槽の湯を使わずに放熱器による暖房動作が可能な風呂給湯器の概略構成を示す図である。
【図１４】住宅（マンション）に設置された２４時間換気システムの構成例を示す図である。
【発明を実施するための形態】
【００３１】
以下、図面に基づき本発明の実施の形態を説明する。
【００３２】
本実施の形態に係る浴湯熱暖房システム５で使用される放熱ユニット１０を給気口１０３に取り付けた状態の一例を示している。実施の形態に係る浴湯熱暖房システム５は、給気口１０３に取り付けた放熱ユニット１０に浴槽の残り湯を循環させて暖房する。給気口１０３は、背景技術で説明したものと同様に、排気はファンで行い、給気はファンを使用せずに自然に取込む方式（排気型）の２４時間換気システムにおける給気口１０３である。
【００３３】
給気口１０３は、屋外に面する壁に直径１００mm（あるいは１５０mm）ほどの穴を貫通させ、この穴に給気ダクト１０６を挿入し、その屋内側の端部に開け閉め可能な屋内側カバーユニット１０７を取り付け、屋外側の端部に、雨避けカバー１０８を取り付けて構成される。
【００３４】
給気ダクト１０６の途中に本実施の形態に係る浴湯熱暖房システム５の放熱ユニット１０が取り付けてある。
【００３５】
図２は、放熱ユニット１０とその周囲の給気ダクト１０６を示す斜視図である。放熱ユニット１０は、給気ダクト１０６に密に内挿される円板形状のベース板１１と、ベース板１１に大きく開設された矩形の貫通穴に嵌めこまれたマイクロ扁平管熱交換器１２を備えている。なお、以後、放熱ユニット１０のマイクロ扁平管熱交換器１２を放熱器１２とも記す。
【００３６】
ベース板１１は不燃材で構成される。たとえば、ベース板１１は鋼鈑などで構成される。ベース板１１は、放熱器（マイクロ扁平管熱交換器）１２と給気口１０３の内壁との隙間を不燃材で封鎖する。
【００３７】
図３は、放熱器であるマイクロ扁平管熱交換器１２の概略を示す断面図および２枚のマイクロ扁平管１５を取り出して示す斜視図ある。マイクロ扁平管熱交換器１２は、並行に配置した入水管１３と出水管１４との間に、薄く扁平した管路であるマイクロ扁平管１５を所定間隔で多数並列に接続して構成される。各マイクロ扁平管１５は放熱器１２の放熱板になっている。
【００３８】
入水管１３から到来した温水は、分岐して各マイクロ扁平管１５の中を流れ、各マイクロ扁平管１５の他端側で出水管１４に流れ出て合流し、出水管１４の出口から流出する。
【００３９】
本例のマイクロ扁平管１５は、長さL＝６８mm、幅W＝１５mm、厚みH=０．７mm（板厚ｔ＝０．２mm、内部の水路の厚みはH=０．３mm）である。配列されたマイクロ扁平管１５同士の隙間D(間隔)は１．３mm程度になっている。通気抵抗は２０Pa（２５m3/h時）以下にする。なお、後述する風呂ポンプ６５による送水では、最大で０．１MPa程度の耐水圧があればよいので、マイクロ扁平管１５の板厚は０．２mm未満などの非常に薄い鋼鈑で問題ない。
【００４０】
配列されたマイクロ扁平管１５同士の隙間Dは、２．２mm以下、好ましくは１．８mm以下である。このような隙間でマイクロ扁平管１５を配列すれば、マイクロ扁平管１５とマイクロ扁平管１５の隙間Dを炎が通り抜けられなくなり、防火効果を得ることができる。
【００４１】
放熱ユニット１０では、マイクロ扁平管１５同士の間隔を消炎距離以下にすると共に、放熱器（マイクロ扁平管熱交換器）１２と給気口１０３の内側との隙間を不燃材のベース板１１で塞いでいるので、火災時に炎が給気口１０３を通過することを防ぎ、延焼を防ぐことができる。
【００４２】
フィンチューブを用いる放熱器においてもフィンの間隔を消炎距離以下にすれば上記と同様の効果を得ることができるが、フィンは構造的に弱いため、何らかの外力を受けて、火災の発生時に既に変形して隙間が広がっている可能性がある。また、火災の炎の熱によって溶融したり変形したりして消炎効果が継続しない。
【００４３】
これに対してマイクロ扁平管１５を用いた放熱ユニット１０では、マイクロ扁平管熱交換器１２の各マイクロ扁平管１５の形状は外力で容易に変形することなく安定している。さらに中が水で満たされているので、温度が上がり難い。なお、消炎距離は遮蔽物の温度が低いほど長くなるので、温度が上がり難いことは、消炎効果にとって有利に働く。
【００４４】
図４は、本実施の形態に係る浴湯熱暖房システム５の概略構成を示す図である。浴湯熱暖房システム５は、放熱ユニット１０と、風呂給湯器３０と、浴湯切替ユニット７０を備えて構成される。
【００４５】
風呂給湯器３０は、給水を加熱して浴室内のシャワーや台所の水栓等へお湯を供給（出湯）する給湯機能、浴槽２へ湯を落とし込み湯張りする注湯機能、浴槽２内の湯水を追い焚きして昇温する追い焚き機能などを備えている。また、浴槽２に設定温度の湯を設定水位になるように自動的に湯張りし、湯張り完了後は設定水位・設定温度が所定時間（たとえば、４時間）に渡って維持されるように追い焚き等を行う風呂の自動運転機能を備えている。さらに、浴槽２内の浴槽水を、給気口１０３に設けられた放熱ユニット１０の放熱器（マイクロ扁平管熱交換器）１２に循環させて部屋を暖房する浴湯熱暖房機能を有する。
【００４６】
風呂給湯器３０は、燃焼ファン３１が送風する空気が下方から送り込まれ、上部に排気口３２が設けられた燃焼室３３を備えている。燃焼室３３内には、その下部に第１バーナ３４と第２バーナ３５が配置され、第１バーナ３４と第２バーナ３５の上方には給湯用の第１熱交換器３６が、第２バーナ３５の上方には追い焚き用の第２熱交換器３８がそれぞれ配置されている。第１熱交換器３６は、バーナの近くに配置された顕熱熱交換器３６ａと、顕熱熱交換器３６ａの下流に配置された潜熱熱交換器３６ｂとから構成される。第２熱交換器３８は顕熱熱交換器のみで構成される。
【００４７】
給水元から供給される給水は、給水管４１、第１熱交換器３６が有する水管（潜熱熱交換器３６ｂ、顕熱熱交換器３６ａの順）および給湯管４２を経て出湯される。給水管４１には、水量センサ５１、およびその下流に、水量を調整(制限)するための水量サーボ５２が設けてある。給水管４１と給湯管４２は、水量サーボ５２の直ぐ下流でバイパス管４３を通じて接続されており、バイパス管４３の途中には、バイパス管４３に流す水量を調整するバイパスサーボ５３が設けてある。
【００４８】
給湯管４２には第１熱交換器３６（顕熱熱交換器３６ａ）を出た直後の湯温を検出する熱交温度センサ６１、バイパス管４３からの給水が合流した後の湯温を検出する給湯温度センサ６２が設けてある。
【００４９】
風呂の追い焚き経路は、浴槽２の浴湯取込口３から第２熱交換器３８の入側に通じる風呂戻り管４５と、第２熱交換器３８の水管と、第２熱交換器３８の出側から浴槽２の浴湯流出口４に至る風呂往き管４６で構成される。風呂戻り管４５の途中には、浴槽２側から順に、浴湯切替ユニット７０、風呂戻り温度センサ６４、風呂ポンプ６５、水位センサ６６、風呂水流スイッチ６７が設けてある。風呂往き管４６の途中には風呂往き温度センサ６８が設けてある。
【００５０】
給湯温度センサ６２の下流で給湯管４２から分岐した注湯管４７は風呂戻り温度センサ６４の箇所で風呂戻り管４５に合流する。注湯管４７の途中には、逆止弁５４および該注湯管４７の管路を開閉する注湯弁５５が設けてある。
【００５１】
さらに、風呂戻り管４５の途中に介挿された浴湯切替ユニット７０は、風呂熱利用三方弁７１を有する。風呂熱利用三方弁７１は、浴槽２側の風呂戻り管４５が接続された第１接続口、風呂給湯器３０側の風呂戻り管４５が接続された第３接続口、放熱戻り管７４が接続された第２接続口を有する。風呂熱利用三方弁７１は、第１接続口と第３接続口を連通させ第２接続口を切り離した状態、すなわち、浴槽２側の風呂戻り管４５と風呂給湯器３０側の風呂戻り管４５を接続し、放熱戻り管７４を切り離した状態（風呂側）と、第２接続口と第３接続口を連通させ第１接続口を切り離した状態、すなわち、風呂給湯器３０側の風呂戻り管４５を放熱戻り管７４に接続し、風呂側の風呂戻り管４５を切り離した状態（暖房側）とに接続状態を切り換える。
【００５２】
放熱往き管７３は風呂熱利用三方弁７１の浴槽２側で風呂戻り管４５から分岐して、放熱ユニット１０の放熱器１２の入側に接続されている。放熱戻り管７４は放熱器１２の出側に接続され、他端は風呂熱利用三方弁７１の第２接続口に接続されている。複数の放熱ユニット１０を設置する場合、放熱往き管７３と放熱戻り管７４の間に各放熱ユニット１０の放熱器１２が並列に接続される。
【００５３】
なお、浴湯熱暖房経路は、浴湯切替ユニット７０の風呂熱利用三方弁７１を暖房側に切り替えて、追い焚き経路を、放熱ユニット１０を経由するようにした経路である。また、風呂ポンプ６５は、浴槽２内の浴槽水を浴湯熱暖房経路に循環させる循環ポンプとしての機能を果たす。
【００５４】
燃焼ガスの供給経路は次の様になっている。燃焼ガスの供給元に接続されるガス供給管８１の途中には、供給元からの燃焼ガスを遮断するか否かを切り替える元ガス電磁弁８２が設けられ、その下流には、供給する燃焼ガスの量を任意に調整するためのガス比例弁８３が設けてある。ガス供給管８１は、ガス比例弁８３の下流で２つに分岐し、それぞれガス電磁弁を介して第１バーナ３４および第２バーナ３５に接続されている。
【００５５】
このほか、風呂給湯器３０は、外気温を検出する外気温度センサ６３を有する。さらに、風呂給湯器３０は、当該風呂給湯器３０の動作を制御する制御部９０を備える。制御部９０はＣＰＵ（Central Processing Unit）、ＲＯＭ（Read Only Memory）、ＲＡＭ（Random Access Memory）などを主要部とする回路で構成され、ＲＯＭに格納されたプログラムに従ってＣＰＵが各種の処理を実行することで風呂給湯器３０としての動作が実現される。
【００５６】
制御部９０には、使用者から各種の設定や運転の指示を受ける機能、設定内容や運転状況を表示する機能等を備えたリモートコントローラ９１(リモコンと略称する)が通信線を介して接続される。ここでは、リモートコントローラ９１として、風呂に設置された風呂リモコン、台所等に設置されるメインリモコンなどがある。
【００５７】
次に、浴湯熱暖房システム５の風呂給湯器３０が行う給湯動作、注湯動作、追い焚き動作、放熱ユニット１０の放熱器１２を用いた暖房動作について説明する。
【００５８】
＜給湯動作＞
出湯栓が開かれて水量センサ５１が通水を検出すると制御部９０は、燃焼ファン３１をオンし、第１バーナ３４および第２バーナ３５を点火してこれらで燃焼ガスを燃焼させる。給水元から流入する給水は、第１熱交換器３６を通る際に加熱され、バイパスサーボ５３で給水と混合され、設定された給湯温度の湯にされて出湯栓から出湯する。
【００５９】
＜注湯動作＞
注湯動作は、リモートコントローラ９１（風呂リモコンやメインリモコン）から、風呂の自動運転や注湯の指示を受けた場合に実行される。注湯動作では、制御部９０は、注湯弁５５を開くと共に燃焼ファン３１を作動させ、第１バーナ３４、第２バーナ３５を点火して燃焼ガスを燃焼させる。これにより、給湯動作と同様にして生成された湯が注湯管４７を通じて風呂戻り管４５に流れ込み、該風呂戻り管４５および風呂往き管４６を通じて浴槽２に落とし込まれる。なお、注湯動作では、浴湯切替ユニット７０の風呂熱利用三方弁７１は風呂側（第１接続口と第３接続口を連通させ第２接続口を切り離した状態）に設定される。
【００６０】
＜追い焚き動作＞
追い焚き動作は、風呂の自動運転の指示に基づいて上記の注湯動作が行われて設定水位に湯張りされた後、浴槽２内の浴槽水の温度を風呂設定温度まで昇温させるとき、あるいは、風呂の自動運転中に浴槽２内の湯水を風呂設定温度に維持するために昇温するとき、あるいは、使用者から追い焚きの指示を受けた場合に実行される。
【００６１】
追い焚き動作では、制御部９０は、風呂ポンプ６５を作動させると共に、燃焼ファン３１を作動させ第２バーナ３５を点火し該第２バーナ３５で燃焼ガスを燃焼させる。風呂ポンプ６５の作用により、浴槽２内の湯が追い焚き経路を循環し、その途中の第２熱交換器３８を通る際に第２バーナ３５からの熱で加熱される。なお、追い焚き動作では、浴湯切替ユニット７０の風呂熱利用三方弁７１は風呂側に設定される。
【００６２】
＜放熱器を用いた暖房動作＞
放熱ユニット１０の放熱器１２を用いた暖房動作では、風呂の自動運転の終了後に浴槽２の中に残っている浴槽水の熱を利用して暖房する。暖房動作では、浴湯切替ユニット７０の風呂熱利用三方弁７１を暖房側（第３接続口と第２接続口を連通させ第１接続口を切り離した状態）に切り替えて風呂ポンプ６５を駆動する。これにより、浴槽２内の湯が浴湯取込口３から取り込まれ、風呂戻り管４５の途中で放熱往き管７３側に流れ、放熱ユニット１０の放熱器（マイクロ扁平管熱交換器）１２および放熱戻り管７４を経て、風呂熱利用三方弁７１の箇所で風呂戻り管４５の風呂給湯器３０側（第２接続口から第３接続口）へ流れ込み、第２熱交換器３８、風呂往き管４６を通じて浴湯流出口４から浴槽２に流出する、という経路(浴湯熱暖房経路)で浴槽水が循環する。
【００６３】
２４時間換気システムの作用で、常に、給気口１０３を通じて外気が屋内に取り込まれているので、暖房動作中は、給気口１０３に取り付けた放熱ユニット１０の放熱器１２によって外気が暖められて屋内に取り込まれる。
【００６４】
たとえば、風呂に入り終わった夜１０時から明け方の５時頃までにかけて２００W（２個で４００W）程度の暖房能力を得ることができ、ヒートショックの防止に貢献することができる。なお、放熱器１２に温水を流して暖房するので、たとえば、電気ヒータを給気口１０３の中に設置するような方式に比べて異常過熱（ショートや漏電による）がなく、火災を招く危険性が少ない。
【００６５】
また、給気口１０３に放熱器１２を取り付けることで、室内スペースを圧迫せず、また、温度の低い外気を直接暖めるので、高い効率で暖房することができる。
【００６６】
次に、放熱ユニット１０を用いた風呂の残り湯による暖房運転（浴湯熱暖房運転とする）について説明する。
【００６７】
浴湯熱暖房運転は、風呂の自動運転が終了してから翌日の明け方の所定時刻（たとえば、朝５時）まで継続して行われる。風呂給湯器３０の制御部９０は、浴湯熱暖房運転の暖房動作において、風呂ポンプ６５を断続的に動作させるのではなく、風呂ポンプ６５を連続動作させ、そのときの単位時間当たりの放熱量は、風呂ポンプ６５の流量で制御する。暖房動作中の風呂ポンプ６５の流量は、追い焚き動作での流量に比べて低流量に制御される。以下、浴湯熱暖房システム５の風呂給湯器３０が行う浴湯熱暖房運転の制御を複数種類示す。
【００６８】
＜風呂温度に基づく浴湯熱暖房制御＞
図５は、風呂給湯器３０の制御部９０が行う、風呂温度に基づく浴湯熱暖房運転の制御を示す流れ図である。浴湯熱暖房運転がオンにされると、風呂給湯器３０の制御部９０は、風呂ポンプ６５を、最大流量（ここでは６Ｌ/min）に設定してオンにする（ステップＳ１０１）。そして、風呂水流スイッチ６７がオンになるか否かを調べる（ステップＳ１０２）。風呂水流スイッチ６７がオンにならなければ（ステップＳ１０２;Ｎｏ）、浴湯なしのエラーをリモートコントローラ９１に表示等し（ステップＳ１０３）、風呂ポンプ６５をオフにして（ステップＳ１０６）、本処理を終了する。
【００６９】
風呂水流スイッチ６７がオンになった場合は（ステップＳ１０２;Ｙｅｓ）、風呂戻り温度センサ６４により浴槽水の温度（風呂温度ＢＴ）を認識する（ステップＳ１０４）。
【００７０】
風呂温度（ＢＴ）が予め定めた停止温度（ここでは２８℃とする）以下の場合は（ステップＳ１０５;Ｙｅｓ）、暖房できないと判断し、風呂ポンプ６５をオフにして（ステップＳ１０６）、本処理を終了する。
【００７１】
風呂温度（ＢＴ）が予め定めた停止温度（２８℃）を超える場合は（ステップＳ１０５;Ｎｏ）、風呂熱利用三方弁７１を暖房側に切り替え（ステップＳ１０７）、風呂ポンプ６５の流量を、風呂温度（ＢＴ）に応じた値に設定する（ステップＳ１０８）。詳細には、風呂温度が４１℃を超える場合は、風呂ポンプ６５の流量を第１流量（ＬＶ１）に設定し、風呂温度が４１℃以下で３４℃を超える範囲にある場合は、風呂ポンプ６５の流量を第２流量（ＬＶ２）に設定し、風呂温度が３４℃以下で２８℃を超える範囲にある場合は、風呂ポンプ６５の流量を第３流量（ＬＶ３）に設定する。ここでは、第１流量（ＬＶ１）は風呂ポンプ６５の最大流量の８０％、第２流量（ＬＶ２）は風呂ポンプ６５の最大流量の６０％、第３流量（ＬＶ３）は風呂ポンプ６５の最大流量の４０％、とする。
【００７２】
風呂熱利用三方弁７１を暖房側に切り替え、風呂ポンプ６５を稼動させることで、浴槽水が放熱器１２を経由して循環して暖房が開始される。その後、風呂ポンプ６５を設定した流量で連続的に動作させて暖房動作を３０分行う（ステップＳ１０９;Ｎｏ）。３０分の暖房動作が終了したら（ステップＳ１０９;Ｙｅｓ）、風呂熱利用三方弁７１を風呂側に切り替え（ステップＳ１１０）、風呂ポンプ６５を最大流量で６０秒稼動させる撹拌工程を行う（ステップＳ１１１）。
【００７３】
浴槽２の浴湯取込口３は浴湯流出口４より上の位置にあり、浴槽水を上部から吸い込んで下方に吐き出すようになっている。これは、通常の追い焚き時に、温かい湯を下方から浴槽２内に送り込んで対流を促し、浴槽２内の湯温を均一にするためである。しかし、放熱ユニット１０を用いた暖房動作では、浴槽２内の暖かい湯を上側の浴湯取込口３から吸い込み、放熱器１２で放熱されて冷たくなった湯を下側の浴湯流出口４から浴槽２に流し込むことになるので、図６（ａ）に示すように、冷たい湯が下に溜まって、浴槽２内に温度成層が形成される。
【００７４】
したがって、浴槽２内の浴槽水の湯温が、当初均一であれば、暖房運転中に浴湯取込口３から取り込む湯温は、しばらく同じ温度になる。しかし、暖房運転の継続に伴って浴槽２の下部に溜まる冷たい水の層の水位が次第に高くなり、図６(ｂ)に示すように、浴湯取込口３の水位までくると、その上に温かい湯が溜まっていても、以後は、その暖かい湯を取り込むことができず、暖房に利用できなくなる。
【００７５】
そこで、暖房運転を３０分継続したら、一度、撹拌工程を行って、浴槽２内の湯温を均一にする。図６（ｃ）は撹拌工程後の浴槽２内の湯の状態を示している。浴槽２内の湯の温度が均一になっている。これにより、再び、温かい湯を浴湯取込口３から取り込むことができ、暖房動作を継続することが可能になる。
【００７６】
撹拌工程が終了したら、ステップＳ１０４に戻って処理を継続する。図７は、暖房運転中の暖房動作や撹拌工程の実行期間と風呂温度等の関係を示している。３０分間の暖房動作中は、前述したように、温度成層が形成されるため、浴湯取込口３から取り込まれる浴槽水の温度（風呂温度）は変化しない。撹拌工程により風呂温度が一気に変化する。
【００７７】
風呂温度に基づく浴湯熱暖房制御では、ステップＳ１０８において、風呂温度（ＢＴ）が高いほど、風呂ポンプ６５の流量を低流量にするので、浴槽水が保有する熱量を少しずつ放熱ユニット１０で放熱して、長時間に渡って暖房を継続することができる。また、放熱ユニット１０による暖房動作を、風呂ポンプ６５をオンオフさせて断続的に行うと、風呂ポンプ６５のオンオフが給気口から室内に流入する空気の温度の変化に直結してしまい、給気口近くの室内に居る人に不快感を与えるおそれがあるが、本制御による浴湯熱暖房では、暖房運転中(撹拌工程を除く)は、風呂ポンプ６５を低流量で連続動作させるので、給気口から室内に流入する空気の温度が安定し、給気口近くの室内に居る人にとっても快適な暖房を行うことができる。
【００７８】
＜風呂温度と外気温度との温度差に基づく浴湯熱暖房制御＞
図８は、風呂温度と外気温度との温度差に基づく浴湯熱暖房運転の制御を示す流れ図である。浴湯熱暖房運転がオンにされると、風呂給湯器３０の制御部９０は、風呂ポンプ６５を、最大流量（６Ｌ/min）に設定してオンにする（ステップＳ２０１）。そして、風呂水流スイッチ６７がオンになるか否かを調べ（ステップＳ２０２）、風呂水流スイッチ６７がオンにならなければ（ステップＳ２０２;Ｎｏ）、浴湯なしのエラーをリモートコントローラ９１に表示等し（ステップＳ２０３）、風呂ポンプ６５をオフにして（ステップＳ２０７）、本処理を終了する。
【００７９】
風呂水流スイッチ６７がオンになった場合は（ステップＳ２０２;Ｙｅｓ）、制御部９０は、風呂戻り温度センサ６４により浴槽水の温度（風呂温度ＢＴ）を認識し（ステップＳ２０４）、さらに外気温度センサ６３で外気温度（ＯＴ）を検出する（ステップＳ２０５）。
【００８０】
制御部９０は、風呂温度（ＢＴ）と外気温度(ＯＴ)との温度差が予め定めた停止温度（ここでは２１℃とする）以下の場合は（ステップＳ２０５;Ｙｅｓ）、暖房できないと判断し、風呂ポンプ６５をオフにして（ステップＳ２０７）、本処理を終了する。
【００８１】
制御部９０は、風呂温度（ＢＴ）と外気温度(ＯＴ)との温度差が予め定めた停止温度（２１℃）を超える場合は（ステップＳ２０６;Ｎｏ）、風呂熱利用三方弁７１を暖房側に切り替え（ステップＳ２０８）、風呂ポンプ６５の流量を、風呂温度（ＢＴ）と外気温度(ＯＴ)との温度差に応じた値に設定する（ステップＳ２０９）。詳細には、温度差が３４℃を超える場合は、風呂ポンプ６５の流量を第１流量（ＬＶ１）に設定し、温度差が３４℃以下で２７℃を超える範囲にある場合は、風呂ポンプ６５の流量を第２流量（ＬＶ２）に設定し、温度差が２７℃以下で２１℃を超える範囲にある場合は、風呂ポンプ６５の流量を第３流量（ＬＶ３）に設定する。第１流量（ＬＶ１）は風呂ポンプ６５の最大流量の８０％、第２流量（ＬＶ２）は最大流量の６０％、第３流量（ＬＶ３）は、最大流量の４０％、とする。
【００８２】
風呂熱利用三方弁７１を暖房側に切り替え、風呂ポンプ６５を動作させることで、浴槽水が放熱器１２を経由して循環して暖房が開始される。その後、制御部９０は、風呂ポンプ６５を設定した流量で連続的に動作させて暖房動作を３０分行う（ステップＳ２１０;Ｎｏ）。３０分の暖房動作が終了したら（ステップＳ２１０;Ｙｅｓ）、次回の撹拌工程実施後の風呂温度（ＢＴ´）を予測する(ステップＳ２１１)。
【００８３】
制御部９０は、予測した風呂温度（ＢＴ´）と現在の外気温度（ＯＴ）との温度差が予め定めた停止温度以下でなければ(ステップＳ２１２;Ｎｏ)、風呂熱利用三方弁７１を風呂側に切り替え（ステップＳ２１３）、風呂ポンプ６５を最大流量で６０秒稼動させる撹拌工程を行って（ステップＳ２１４）、ステップＳ２０４に戻る。
【００８４】
一方、予測した風呂温度（ＢＴ´）と現在の外気温度（ＯＴ）との温度差が予め定めた停止温度以下の場合は(ステップＳ２１２;Ｙｅｓ)、撹拌工程を実施せずに、ステップＳ２０４に戻って処理を継続する。すなわち、次回の撹拌工程を実施すると、風呂温度（ＢＴ´）と現在の外気温度（ＯＴ）との温度差が予め定めた停止温度以下になる場合に、撹拌工程を実際に実施すると浴湯熱暖房は停止することになるが、次回の撹拌工程を行わなければ、図６（ｄ）に示すように、冷たい水の層から浴湯取込口３の水位までの間にある温かい湯を、浴湯取込口３から取り込んで、浴湯熱暖房に利用することができる。
【００８５】
そこで、予測した風呂温度（ＢＴ´）と現在の外気温度（ＯＴ）との温度差が予め定めた停止温度以下の場合は、撹拌工程を実施せずにそのまま浴湯熱暖房を継続して、浴湯の持つ熱を有効利用する。
【００８６】
＜設定時間に基づく浴湯熱暖房制御＞
設定時間に基づく浴湯熱暖房制御では、ユーザが設定した時刻まで浴湯熱暖房を継続できるように制御する。ユーザが、浴湯熱暖房を継続する時間（たとえば、５時間、夜１１時〜翌朝４時まで）をリモートコントローラ９１に設定して、浴湯熱暖房をオンにすると、制御部９０により図９に示す制御が開始される。たとえば、ユーザが、浴湯熱暖房を継続する時間として５時間に設定した場合、浴湯熱暖房を実行すべき残時間Ｔｈの初期値は５時間になる。
【００８７】
浴湯熱暖房運転がオンにされると、風呂給湯器３０の制御部９０は、風呂ポンプ６５を、最大流量（６Ｌ/min）に設定してオンにする（ステップＳ３０１）。そして、風呂水流スイッチ６７がオンになるか否かを調べ（ステップＳ３０２）、風呂水流スイッチ６７がオンにならなければ（ステップＳ３０２;Ｎｏ）、浴湯なしのエラーをリモートコントローラ９１に表示等し（ステップＳ３０３）、風呂ポンプ６５をオフにして（ステップＳ３０８）、本処理を終了する。
【００８８】
制御部９０は、風呂水流スイッチ６７がオンになった場合は（ステップＳ２０２;Ｙｅｓ）、風呂ポンプ６５の流量を第３流量（ＬＶ３）に設定し(ステップＳ３０４)、風呂戻り温度センサ６４により浴槽水の温度（風呂温度ＢＴ）を認識し（ステップＳ３０５）、さらに外気温度センサ６３で外気温度（ＯＴ）を検出する（ステップＳ３０６）。これまでと同様に、第１流量（ＬＶ１）は風呂ポンプ６５の最大流量の８０％、第２流量（ＬＶ２）は最大流量の６０％、第３流量（ＬＶ３）は、最大流量の４０％、とする。
【００８９】
制御部９０は、風呂温度（ＢＴ）と外気温度(ＯＴ)との温度差が予め定めた停止温度（ここでは２１℃とする）以下の場合は（ステップＳ３０７;Ｙｅｓ）、暖房できないと判断し、風呂ポンプ６５をオフにして（ステップＳ３０８）、本処理を終了する。
【００９０】
制御部９０は、風呂温度（ＢＴ）と外気温度(ＯＴ)との温度差が予め定めた停止温度（２１℃）を超える場合は（ステップＳ３０７;Ｎｏ）、風呂熱利用三方弁７１を暖房側に切り替える（ステップＳ３０９）。
【００９１】
これにより、浴槽水が放熱器１２を経由して循環して暖房が開始される。その後、設定した流量で風呂ポンプ６５を連続的に動作させて暖房動作を３０分行う（ステップＳ３１０;Ｎｏ）。３０分の暖房動作が終了したら（ステップＳ３１０;Ｙｅｓ）、残時間Ｔｈから０．５時間を減算する。
【００９２】
次に、制御部９０は、風呂熱利用三方弁７１を風呂側に切り替え（ステップＳ３１２）、風呂ポンプ６５を最大流量で６０秒稼動させる撹拌工程を行い（ステップＳ３１３）、風呂戻り温度センサ６４により撹拌工程後の浴槽水の温度（風呂温度ＢＦ）を認識する(図１０、ステップＳ３１４)。
【００９３】
そして、制御部９０は、３０分間の暖房動作を実行する前の風呂温度（ＢＴ）と、実行後の風呂温度（ＢＦ）から、第１流量（ＬＶ１）で暖房動作を継続した場合の放熱可能時間Ｔ１と、第２流量（ＬＶ２）で暖房動作を継続した場合の放熱可能時間Ｔ２と、第３流量（ＬＶ３）で暖房動作を継続した場合の放熱可能時間Ｔ３を算出する(ステップＳ３１５)。
【００９４】
制御部９０は、第１流量（ＬＶ１）で暖房動作を継続した場合の放熱可能時間Ｔ１が残時間Ｔｈを超えるならば(ステップＳ３１６;Ｙｅｓ)、すなわち、最大流量の８０％で風呂ポンプ６５を稼動させる暖房動作を残時間Ｔｈ以上継続できるならば、風呂ポンプ６５の流量を第１流量（ＬＶ１）に設定して（ステップＳ３１７）、ステップＳ３０５に戻り、処理を継続する。
【００９５】
制御部９０は、第１流量（ＬＶ１）で暖房動作を継続した場合の放熱可能時間Ｔ１が残時間Ｔｈを超えないが（ステップＳ３１６;Ｎｏ）、第２流量（ＬＶ２）で暖房動作を継続した場合の放熱可能時間Ｔ２が残時間Ｔｈを超えるならば(ステップＳ３１８;Ｙｅｓ)、すなわち、最大流量の８０％で風呂ポンプ６５を稼動させる暖房動作を残時間Ｔｈ以上継続できないが、最大流量の６０％であれば暖房動作を残時間Ｔｈ以上継続できるならば、風呂ポンプ６５の流量を第２流量（ＬＶ２）に設定して(ステップＳ３１９)、ステップＳ３０５に戻り、処理を継続する。
【００９６】
制御部９０は、第２流量（ＬＶ２）で暖房動作を継続した場合の放熱可能時間Ｔ２が残時間Ｔｈを超えないが（ステップＳ３１８;Ｎｏ）、第３流量（ＬＶ３）で暖房動作を継続した場合の放熱可能時間Ｔ３が残時間Ｔｈを超えるならば(ステップＳ３２０;Ｙｅｓ)、すなわち、最大流量の８０％や６０％で風呂ポンプ６５を稼動させる暖房動作を残時間Ｔｈ以上継続できないが、最大流量の４０％であれば暖房動作を残時間Ｔｈ以上継続できるならば、風呂ポンプ６５の流量を第３流量（ＬＶ３）に設定して(ステップＳ３２１)、ステップＳ３０５に戻り、処理を継続する。
【００９７】
制御部９０は、第３流量（ＬＶ３）で暖房動作を継続した場合の放熱可能時間Ｔ３が残時間Ｔｈを超えない場合は（ステップＳ３２０;Ｎｏ）、風呂ポンプ６５を停止させて３０分待機し（ステップＳ３２２）、その後、風呂ポンプ６５の流量を第３流量（ＬＶ３）に設定して(ステップＳ３２３)、ステップＳ３０５に戻り、処理を継続する。３０分間の暖房動作の停止は、ユーザの設定した時間の終了近くで暖房動作が実行されることを優先したものである。
【００９８】
このように、設定時間に基づく浴湯熱暖房制御では、放熱量を制御することで、風呂ポンプ６５を連続的に稼動させつつ、ユーザの設定した時間（時刻まで）の浴湯熱暖房を継続することができる。また、放熱量（風呂ポンプ６５の流量）を最小にしても、ユーザの設定した時間まで浴湯熱暖房を継続できない場合は、ユーザの設定した時間の終了近くで暖房が働くように制御したので、たとえば、ユーザが早朝の４時や５時を浴湯熱暖房の終了時刻に設定した場合、トイレに起きたりする明け方の時間帯が優先的に暖房されるようになり、ヒートショックを効果的に防止することができる。
【００９９】
なお、放熱器１２は、図２、図３に示すようなマイクロ扁平管１５を用いたものに限定されない。図１１や図１２に示すようにフィンとチューブを用いるタイプの放熱器でもかまわない。この場合も延焼効果を得るならば、フィンとフィンの隙間（円筒形の場合は最大の箇所の隙間）を消炎距離以下、具体的には２．２mm以下、好ましくは１．８mm以下にする。ただし、フィンの変形や火災時の溶融・変形、さらに必要な放熱量を少ない設置スペースで稼ぐことを考慮すれば、マイクロ扁平管１５で構成することが望ましい。
【０１００】
また、放熱器１２に循環させる温水として浴槽２内の浴槽水を利用する例を示したが、浴槽水が無いような場合には、浴槽水以外の温水を循環させてもかまわない。
【０１０１】
たとえば、図１３に示す風呂給湯器３０Ｂでは、浴槽２に浴槽水が無い場合には、追い焚き経路から浴槽２を切り離し、放熱器１２と追い焚き用の熱交換器３９を経由して湯水を循環させることができる。熱源は、暖房側のバーナ（第２バーナ３５）を用いる。循環させる湯水が、不足するもしくは無い場合には、給湯側から注湯管４７を通じて補給する。
【０１０２】
図１３では、図４と同一部分には同一の符号を付してある。風呂給湯器３０Ｂでは、風呂の追い焚き経路は、水−水熱交換器３９の二次側配管を経由する。水-水熱交換器３９の一次側は、シスターン５６から循環ポンプ５７、第２熱交換器３８の顕熱熱交換器３８ａ、水-水熱交換器３９の一次側、第２熱交換器３８の潜熱熱交換器３８ｂを経てシスターン５６に戻る循環経路に含まれる。循環ポンプ５７の作用でこの循環経路を循環する湯水は第２熱交換器３８を通る際に第２バーナ３５からの熱を受けて加熱され、その熱は水-水熱交換器３９を通る際に一次側から二次側に移動する。
【０１０３】
図１３に示す風呂給湯器３０Ｂを用いた浴湯熱暖房システム５の浴湯切替ユニット７０Ｂは、前述の風呂熱利用三方弁７１に加えて、風呂バイパス三方弁７２、気水分離機７３を備える。風呂バイパス三方弁７２は、浴槽２の手前で風呂戻り管４５と風呂往き管４６を接続して浴槽２をバイパスする状態（風呂迂回側、図中の第２接続口と第３接続口を連通させ第１接続口を切り離した状態）と、浴槽２をバイパスしない通常の追い焚き経路（風呂経由側、図中の第３接続口と第１接続口を連通させ第２接続口を切り離した状態）とするかを切り換える。
【０１０４】
浴槽２内の湯を用いて放熱ユニット１０による浴湯熱暖房運転を行う場合は、風呂バイパス三方弁７２を風呂経由側に設定し、図４に示した風呂給湯器３０と同様の暖房動作を行う。浴槽２の湯を利用しないで暖房動作を行う場合には、風呂バイパス三方弁７２を風呂迂回側に切り替え、風呂熱利用三方弁７１を暖房側に設定する。また、浴槽２をバイパスさせた追い焚き経路に、注湯管４７を通じて湯または水を補給する。その後、風呂ポンプ６５および循環ポンプ５７をオンにして、風呂往き温度センサ６８の検出温度が４０℃等になるように、第２バーナ３５の燃焼量等を制御する。
【０１０５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０６】
実施の形態では、暖房運転の開始時に浴槽２に存在していた浴湯の熱のみを利用して放熱ユニット１０による暖房を行ったが、たとえば、ユーザの設定した時間の暖房に熱量が不足する場合には、浴槽内の湯水を追い焚きするようにしてもよい。
【０１０７】
また、放熱ユニット１０の放熱器１２に温水を循環させるために実施の形態では風呂給湯器３０や風呂給湯器３０Ｂを利用したが、たとえば、燃料電池の排熱を利用するような装置を利用してもよい。燃料電池の排熱で湯を作って貯湯タンクにためる給湯システムを利用する場合、貯湯タンクが満蓄となって燃料電池の排熱を回収できない状態になったら、貯湯タンクの湯を浴槽に数リットル捨てて、浴槽内の湯温を上昇させ、この浴槽水を循環させて放熱器１２による暖房を行えばよい。
【０１０８】
次回の撹拌工程を実施した場合の風呂温度（ＢＴ´）を予測して、次回の撹拌工程を実施するか否かを判断する処理(図８のステップＳ２１１、Ｓ２１２)は、風呂温度に基づく浴湯熱暖房制御や設定時間に基づく浴湯熱暖房制御においても採用することができる。たとえば、設定時間に基づく浴湯熱暖房制御の場合、Ｓ３１１で０．５時間減算した後の残時間Ｔｈが０．５時間以下になったとき、次回の撹拌工程実施後の風呂温度を予測し、予測した風呂温度で浴湯暖房が停止になるか否かを判断し、停止になるならば、撹拌工程を行わずに暖房動作を継続するようにすればよい。
【符号の説明】
【０１０９】
２…浴槽
３…浴湯取込口
４…浴湯流出口
５…浴湯熱暖房システム
１０…放熱ユニット
１１…ベース板
１２…マイクロ扁平管熱交換器（放熱器）
１３…入水管
１４…出水管
１５…マイクロ扁平管
３０、３０Ｂ…風呂給湯器
３１…燃焼ファン
３２…排気口
３３…燃焼室
３４…第１バーナ
３５…第２バーナ
３６…第１熱交換器
３６ａ…顕熱熱交換器
３６ｂ…潜熱熱交換器
３８…第２熱交換器
３８ａ…顕熱熱交換器
３８ｂ…潜熱熱交換器
３９…水−水熱交換器
４１…給水管
４２…給湯管
４３…バイパス管
４５…風呂戻り管
４６…風呂往き管
４７…注湯管
５１…水量センサ
５２…水量サーボ
５３…バイパスサーボ
５４…逆止弁
５５…注湯弁
５６…シスターン
５７…循環ポンプ
６１…熱交温度センサ
６２…給湯温度センサ
６３…外気温度センサ
６４…風呂戻り温度センサ
６５…風呂ポンプ
６６…水位センサ
６７…風呂水流スイッチ
６８…風呂往き温度センサ
７０…浴湯切替ユニット
７０Ｂ…浴湯切替ユニット
７１…逆止弁
７１…風呂熱利用三方弁
７２…風呂バイパス三方弁
７３…放熱往き管
７４…放熱戻り管
８１…ガス供給管
８２…元ガス電磁弁
８３…ガス比例弁
９０…制御部
９１…リモートコントローラ
１０３…給気口
１０６…給気ダクト
１０７…屋内側カバーユニット
１０８…雨避けカバー
【図１】
2018124041.tif 000003
【図２】
2018124041.tif 000004
【図３】
2018124041.tif 000005
【図４】
2018124041.tif 000006
【図５】
2018124041.tif 000007
【図６】
2018124041.tif 000008
【図７】
2018124041.tif 000009
【図８】
2018124041.tif 000010
【図９】
2018124041.tif 000011
【図１０】
2018124041.tif 000012
【図１１】
2018124041.tif 000013
【図１２】
2018124041.tif 000014
【図１３】
2018124041.tif 000015
【図１４】
2018124041.tif 000016